(57)【要約】少なくとも三者（Ａ、Ｂ、Ｃ）の間で補綴装具作業を割り当てるための方法および装置において、歯科状況および取付具の施用がコンピュータ画面上で第１当事者（Ａ）によってシミュレートされる。第２当事者（Ｂ）は補綴装具に関連する第１構成要素を記録および前記シミュレーションの助けを借りて作成する。第２構成要素が第３当事者（Ｃ）によって供給され、かつ補綴装具が第１当事者によって前記第１および第２構成要素を用いて組み立てられ嵌合される。前記記録が緩い補綴および補綴装具を支持する部分の第１読取りおよび第２読取りを含む。前記シミュレーションはコンピュータ画面上の読取りの表現の照合を含む。シミュレーションの取付具施用は構築され、モデルは前記当事者の一者または第４当事者によって製作される。アセンブリテンプレートは実際のサブストレートに取付具の方向に対応する方向に穴形成部材を案内する。歯冠は前記サブストレートに形成された穴に接続するアタッチメント穴が設けられる。取付具は前記第１当事者によって前記形成された穴に施用され、歯冠は前記施用取付具に固定される。本発明はまた、上記に関連するコンピュータプログラムにも関する。【選択図】図１
2004522489.tif 000002
【特許請求の範囲】
【請求項１】
少なくとも三者（Ａ、Ｂ、Ｃ）の間で補綴装具作業を割り当てるための方法であって、歯科状況およびそこでの取付具の施用がコンピュータ画面上で第１当事者（Ａ）によってシミュレートされ、補綴装具に関連する第１構成要素が記録および前記シミュレーションの助けを借りて第２当事者（Ｂ）によって作成され、第２構成要素が第３当事者（Ｃ）によって供給され、かつ補綴装具が第１当事者によって前記第１および第２構成要素を用いて組み立てられ嵌合されるようにした方法において、前記記録が印象または補綴物（歯構造）の第１読取り、および補綴装具を支持する部分（顎全部または一部）の第２読取りを含むこと、前記第１および第２読取りの結果として画像または表現（１２）が得られ、前記シミュレーションがコンピュータ画面上の前記画像または表現（１２）の照合を含み、それに基づいてシミュレーションの取付具施用が構築されること、シミュレーションの取付具施用が前記支持部に対して選択された位置決めを含むこと、例えばプラスチック製のモデルが好ましくは立体リソグラフィ法によって前記当事者の一者または第４当事者によって製作されること、前記第１構成要素がアセンブリテンプレート（８８）を含み、それはサブストレートに当てつけることができ、前記モデルによって作成され、かつ前記サブストレートで前記アセンブリテンプレートによって選択された位置決め方向に対応する方向に案内される穴形成部材として意図されていること、前記第１構成要素が装具、例えば歯冠（８５）の一部を形成するユニットを含み、そこに前記サブストレートに形成された穴に接続するアタッチメント穴が設けられること、前記第２構成要素が、前記第１当事者によって前記形成された穴に施用される取付具を含むこと、および前記第２構成要素が、前記ユニットを前記施用取付具に固定するための固定部材（固定ねじ）をも含むことを特徴とする方法。
【請求項２】
前記モデルが好ましくは前記第３当事者（Ｃ）によって２つの部品に分けて作成され、第１部品が支持部（顎骨）を表し、第２部品が人工歯／歯構造を表し、前記第１部品および第２部品が中間空間によって相互に相手から分離されて咬合器の適用が可能になることを特徴とする、請求項１に記載の方法。
【請求項３】
前記第１当事者が完全にまたは部分的に自動化された装置によって前記第２当事者に注文内容を送信し、前記第２当事者が完全にまたは部分的に自動化された受信装置を介して前記注文を受信することを特徴とする、請求項１または２に記載の方法。
【請求項４】
歯科用ブリッジが前記プラスチックモデル上で製作されること、および前記モデルの前記取付具（８７）上にスペーサが装着され、かつ前記スペーサ上に合着スリーブ（９３）が配置されること、および前記歯科用ブリッジのフレームが好ましくは炭素繊維強化プラスチック、チタン、または歯科用合金から作られることを特徴とする、請求項１ないし３のいずれかに記載の方法。
【請求項５】
前記第１および第２部品間の代替軟組織（８４）が軟質プラスチック、例えばビニルまたはポリシロキサンで形成されること、および前記スペーサ（９３）の長さが前記軟組織に固定され、かつ前記ブリッジの形状が前記軟組織に適応されることを特徴とする、請求項１ないし４のいずれかに記載の方法。
【請求項６】
少なくとも三者（Ａ、Ｂ、Ｃ）の間で補綴装具作業を割り当てるための装置であって、第１当事者に配置され、その画面上で歯科状況およびそこでの装具施用をシミュレートするように意図されたコンピュータ（７５）と、第２当事者に配置され、記録および前記シミュレーションの助けを借りて前記補綴装具用に意図された第１構成要素の製作を可能にするように意図された第１製作ユニットと、第３当事者（Ｃ）に配置され、第２構成要素を製作するために使用される第２製作または供給ユニットと、第１当事者に配置され、前記第１および第２構成要素の助けを借りて前記補綴装具を構成しかつ患者に嵌合させることを可能にするように意図された第１機器とを備えた装置において、前記記録が印象または補綴物（歯構造）の第１読取り、および前記補綴装具を支持する部分（顎全部または一部）の第２読取りを含むこと、前記コンピュータ（そのプログラム）がコンピュータ画面上で前記第１および第２読取りから結果的に得られた画像または表現の照合を可能にし、かつ前記支持部分に対して選択された位置決めを含むシミュレーションによる取付具施用を前記画面上に表示するように意図されること、当事者の一者または第４当事者に配置された第２機器、好ましくは立体リソグラフィ装置が例えばプラスチック製のモデルの製作用に意図されること、前記モデルによって作成されるアセンブリテンプレートであって、選択された位置決めの方向に対応する方向を取るために前記アセンブリテンプレートによって案内することができる穴形成部材用の案内要素を有する前記アセンブリテンプレートの製作のために第１製作機器を備えること、前記装具の一部を構成する構造ユニットであって、サブストレートに形成される穴に接続するアタッチメント穴が設けられた前記構造ユニット、例えば歯科用ブリッジの製作のためにも前記第１製作ユニットを備えること、および前記第２製作または供給ユニットが、前記形成された穴用に意図された取付具、およびサブストレートに施用された取付具に構造ユニットを固定するための固定部材（ねじ）をも製作または供給することを特徴とする装置。
【請求項７】
前記モデル、例えばプラスチックモデルが２つの部品から構成され、第１部品が前記支持部分（患者の顎）をシミュレートし、第２部品が印象／補綴物／歯構造をシミュレートすること、および前記部品間に軟組織の部位に対応する中間空間があり、前記中間空間が対向する顎の咬合器（または再装着ブロック）の嵌合／密着を可能にすることを特徴とする、請求項６に記載の装置。
【請求項８】
前記歯構造（９５）がアクリレートで形成された人工歯付きの蝋で構成され、患者で試験されることを特徴とする、請求項６または７に記載の装置。
【請求項９】
前記第１当事者（外科医、補綴歯科医）が完全にまたは部分的に自動化された発注装置を使用し、それは計画された治療、個別の特徴、日付、費用等に関する注文を前記第２当事者に送信するために例えば注文電話機、電気通信ネットワーク、またはコンピュータネットワーク（インターネット）等を含むこと、および前記第２当事者が完全にまたは部分的に自動化された受信装置にアクセスすることができることを特徴とする、請求項６ないし８のいずれかに記載の装置。
【請求項１０】
前記記録が顎の咬合の相互の関係に関する情報を含むこと、および前記第２当事者への情報が単数または複数の咬合器の詳細を含み、前記情報が好ましくは電子手段によって前記第２当事者に送信できることを特徴とする、請求項６ないし９のいずれかに記載の装置。
【請求項１１】
前記第１当事者が例えば断層Ｘ線撮影によって製作することのできるモデルを、完全にまたは部分的に電子的手段によって、例えばコンピュータおよび／または電気通信システム（インターネットを含む）を介して、前記第２当事者または前記第３当事者に送信することができること、および前記第３当事者が例えば第１製作ユニットの助けを借りて真の（実際の）モデルを作成し、それが前記第１当事者または前記第２当事者に送られることを特徴とする、請求項６ないし１０のいずれかに記載の装置。
【請求項１２】
立体リソグラフィ製作のためにコンピュータプログラムで自動的にシミュレートされる小さいピン形またはスパイク形の要素の助けを借りて、前記第１部品が前記第２部品上に支持されることを特徴とする、請求項１１に記載の装置。
【請求項１３】
前記モデルが前記モデルの穴または座に配置された取付具を備えること、および前記アセンブリテンプレートが前記取付具／穴／座に適応されることを特徴とする、請求項１１または１２に記載の装置。
【請求項１４】
前記アセンブリテンプレートが穴形成スリーブまたはドリルスリーブを支持するスペーサを備えていること、前記スペーサが炭素繊維強化プラスチックの助けを借りて一緒に保持されること、および前記テンプレートは患者の顎骨に対応する第２モデル部品との接触が割り当てられ、前記テンプレートを患者の口内の対応する位置に配置することができることを特徴とする、請求項６ないし１３のいずれかに記載の装置。
【請求項１５】
前記歯科用ブリッジが、前記モデルの前記取付具に装着できるスペーサを備えていること、および前記スペーサに合着スリーブが配設され、前記歯科用ブリッジのフレーム（骨格）が炭素繊維強化プラスチック、チタン、または他の歯科用合金から構成されることを特徴とする、請求項６ないし１４のいずれかに記載の装置。
【請求項１６】
中間空間（８６）における前記代替軟組織（８４）が軟質プラスチック（ビニル、ポリシロキサン）で作成されることを特徴とする、請求項６ないし１５のいずれかに記載の装置。
【請求項１７】
前記スペーサがチタンを含み、患者の口内でブリッジのチタンスリーブに合着され、かつ金製のスペーサねじにより取付具にねじ留めされるように意図されることを特徴とする、請求項６ないし１６のいずれかに記載の装置。
【請求項１８】
前記第２構成要素が、ドリル／取付具ＲＰ、ドリルガイド、ガイドドリル、および他のタイプのドリル、溝削り部材、取付具、アセンブリスペーサ、ねじ締め具、支持体、ガイドピン、マンドレル、歯ブラシ、セメント組成物、バイト研削用フライス盤、および穴閉塞手段を含み、前記第２構成要素が異なる寸法の異なるプラットフォームに配置されることを特徴とする、請求項６ないし１７のいずれかに記載の装置。
【請求項１９】
前記第１機器が、前記第１および第２構成要素の移送により、１〜４時間、好ましくは１．５〜２時間の短時間で患者に前記装具を装着できるように設計されることを特徴とする、請求項６ないし１７のいずれかに記載の装置。
【請求項２０】
完全にまたは部分的に歯を失った患者の緩い補綴を短い施用時間、例えば１〜３時間で固定装具と交換するための方法であって、
ａ）第１当事者（例えば歯科医、歯科専門家、補綴歯科医等）による顎骨の状態の例えば一次Ｘ線を含む制御
ｂ）受入れ可能な状態である場合、外科医または第１当事者によって実行される断層Ｘ線撮影
ｃ）断層Ｘ線撮影のシミュレートされた第１表現を第１当事者に配置されたコンピュータ機器に入力すること
ｄ）緩い補綴物の走査または読取りのシミュレートされた第２表現を第１当事者に配置された前記コンピュータ機器に入力すること
ｅ）第１当事者が前記コンピュータ機器で前記シミュレートされた第１および第２表現ならびに仮想取付具の配置を照合すること
ｆ）好ましくは電気通信および／またはコンピュータネットワーク、例えばインターネットを介して、前記第１および第２表現、照合、および仮想取付具に関するコンピュータ情報を第２当事者（歯科用の基本的要素および構造部品の製作者）に転送すること
ｇ）送信され、かつそれによって受信された情報に応じて、かつ好ましくは立体リソグラフィの助けを借りて、第１および第２表現の好ましくはプラスチックで作られた実際のモデルを第２当事者が製作し、前記実際のモデル要素、例えば管状要素が仮想取付具の位置および方向に対応する位置および方向に伸長しかつ配置されること
ｈ）前記実際のモデルが第３当事者（歯科技工士）に転送されること
ｉ）好ましくは第１当事者から第３当事者へ、好ましくは蝋の緩い補綴物モデルを、好ましくは石膏で作られた対向顎の顎モデルおよび咬合レジスタインデックスと共に移送すること
ｊ）第３当事者が、顎骨と歯との間の軟組織空間を考慮に入れながら、前記緩い補綴物および顎モデルおよび咬合レジスタインデックスによって、患者の咬合を決定するために咬合器を使用すること
ｋ）顎モデルに対する、かつしたがって患者の顎に対する施用位置が画定され、取付具ダミーおよびしたがって計画された患者の顎骨の凹所の方向および位置が識別されたアセンブリテンプレートを第３当事者が、顎モデルの助けを借りて製作すること
ｌ）第３当事者が顎モデルによって歯科用ブリッジを製作すること
ｍ）前記アセンブリテンプレートおよび歯科用ブリッジを第１当事者に移送し、第１当事者が前記アセンブリテンプレートによって、取付具の計画された挿入のための穴を形成し、取付具を穴に挿入した後、こうして挿入された取付具に前記歯科用ブリッジを固定すること
を特徴とする方法。
【請求項２１】
完全にまたは部分的に歯を失った患者の少なくとも１つの顎骨、好ましくは上顎骨に、歯科用ブリッジの形の固定装具を施用するための装置であって、様々な患者の事例で寸法を決定し、様々な事例に取付具を配置した状態のコンピュータ化表現の生成を処理し、所望の装具および対向顎骨の作業モデルを作成し、歯科用ブリッジおよび取付具ならびに歯科用ブリッジを取付具に固定するための固定部材の製作を注文し、患者の顎骨に取付具を施用し歯科用ブリッジを固定するタスクを持つ第１ユニットと、前記コンピュータ化表現および作業モデルに関する情報の助けを借りて、患者および患者の歯科用ブリッジに取付具穴を形成するためのテンプレートの製作を処理する第２ユニット（歯科技工士）と、第１ユニットから、好ましくは電気通信および／またはコンピュータリンクを含む注文および流通経路を介して、様々な患者のための様々な注文事例を実行するために必要な取付具および付属品の注文を受ける第３ユニットとを含む装置において、第３ユニット（基本的要素および構造部品の供給者）が要素の基本セット（取付具、固定ねじ、ツール等）を第１注文に応じて第１ユニット（歯科医、歯科専門家、補綴歯科医等）に納入し、前記基本セットは特定のタイプの歯科的状況（完全にまたは部分的に歯を失った患者における歯科用ブリッジの施用）で発生する様々な変化を網羅すること、および第３ユニットが第２注文に応じて、基本セットに関係し、かつ患者の顎骨状態および顎骨サイズの相違に対処することを可能にする要素の追加セットを供給することを特徴とする装置。
【請求項２２】
前記製作が断層Ｘ線撮影に基づくことを特徴とする、請求項２１に記載の装置。
【請求項２３】
前記第１ユニットが前記第３ユニットに立体リソグラフィによって製作されるモデルを注文し、前記第３ユニットが前記第１または第２ユニットに供給すること、および前記第２ユニットが最後に示したモデルを用いて歯科用ブリッジを製作することを特徴とする、請求項２１または２２に記載の装置。
【請求項２４】
第１当事者（外科医、補綴歯科医等）が短時間内に、例えば約１〜４時間、好ましくは約１．５〜２時間で、第２当事者（歯科技工士）から供給された構造部品（歯冠、歯科用ブリッジ等）および第３当事者（基本的要素および構造部品の製作者）から供給された構成要素（インプラント、スペーサ、固定ねじ）を施用することを可能にする装置であって、前記構造部品が製作部品（モデル、テンプレート、印象、読取り、ツール等）、および製作部品の完全または部分的な製作のために、少なくとも第３当事者が所有しているか、または利用することができる機器から抜き出されるようにした装置において、前記第３当時者の機器は発注機能が作動するように意図され、前記機器は例えばインターネットから構成されるかまたはそれを含む電気通信および／またはコンピュータリンクを介して、顎骨構造を用いて、装具のモデルが後者に施用され、かつ取付具（インプラント）が顎骨構造に施用されかつ前記構成要素に属する状態で、第１当事者によってコンピュータでシミュレートされた歯科的状況に関する情報を受信すること、および前記第３当事者の機器は、前記シミュレートされた顎骨構造の例えばプラスチック製の実際のモデルおよびシミュレートされたモデルの立体リソグラフィ製作を扱うように意図され、前記実際のモデルが前記製作部品に含まれることを特徴とする装置。
【請求項２５】
第１当事者（外科医、補綴歯科医等）が短時間内に、例えば約１〜４時間、好ましくは約１．５〜２時間で、第２当事者（歯科技工士）から供給された構造部品（歯冠、歯科用ブリッジ等）および第３当事者（基本的要素および構造部品の製作者）から供給された構成要素（インプラント、スペーサ、固定ねじ）を施用することを可能にする装置であって、前記構造部品が製作部品（モデル、テンプレート、印象、読取り、ツール等）、および製作部品の完全または部分的な製作のために、少なくとも第３当事者が所有しているか、または利用することができる機器から抜き出されるようにした装置において、前記第３当事者の機器は発注機能が作動するように意図され、前記機器は例えばインターネットから構成されるかまたはそれを含む電気通信および／またはコンピュータリンクを介して、顎骨構造を用いて、装具のモデルが後者に施用され、かつ取付具（インプラント）が顎骨構造に施用されかつ前記構成要素に属する状態で、第１当事者によってコンピュータでシミュレートされた歯科的状況に関する情報を受信すること、および前記第３当事者の構成要素および製作部品が、様々な歯科的状況（顎骨および装具の幅、高さ等の大小）における様々なサイズに寸法を適合させたプラットフォームに配設されることを特徴とする装置。
【請求項２６】
装具および固定部材によって患者の顎骨にかなりの精度要件で歯科用装具を固定するための装置であって、前記顎骨および補綴物を画像化するための第１機器と、前記顎骨および可能な補綴物の表現をコンピュータ機器で再生するための第２機器と、前記表現で仮想装具施用を可能にするように設計された前記コンピュータ機器と、前記表現に基づいて装備部品を製作するための第３機器と、作業モデルを製作するための第４機器であって、それによって装具部品を取り付けることができ、かつ後者を完成させることが可能になる第４機器とを含む装置において、前記装置、好ましくは前記第４機器が、前記顎骨に正確に施用できる穴形成テンプレートを製作するように設計されていること、および機器の品目が前記かなりの精度要件を満たす精度で作動し、画像化と穴形成との間に患者で標本の試行を実行する必要性が無く、これは全て装具を短時間で、例えば１〜４時間で所定の位置に固定することを達成するのが目的であることを特徴とする装置。
【請求項２７】
応答当事者が照会当事者に補綴装具および後者に関連する作業に関する情報または詳細を供給することを可能にする装置であって、コンピュータは歯科的状況およびそこでの取付具施用をシミュレートするように設計され、１つまたは複数の製作ユニットが補綴装具およびそれを挿入するための構成要素を製作するように設計され、各照会当事者が補綴の装着を可能にしまたはそれを準備する機器を有して成る装置において、データ処理装置が以前に実務で製作された補綴装具の選択されたパラメータに関するデータまたは情報を含むかまたは受け取ること、前記データ処理装置が、現行補綴装具の１つまたは好ましくは幾つかのパラメータを受け取り、前記選択されたパラメータのうちの単数または複数の対応するパラメータと比較するように設計され、かつ前記情報が特定の比較の結果を表すことを特徴とする装置。
【請求項２８】
前記情報を前記補綴装具の１つまたは複数の特性、例えば強度、審美的外観、および／または色に関連付けることができることを特徴とする、請求項２７に記載の装置。
【請求項２９】
前記情報は、前記照会当事者が考える補綴装具および／またはこの装具に対する作業が実務的に受入れ可能であると知られているものの境界内または境界外のどちらであるかに関する詳細および／またはデータから構成されるかまたはそれを含むことを特徴とする、請求項２７または２８に記載の装置。
【請求項３０】
製作当事者から構成要素（または製品）を発注した当事者へ補綴装具の構成要素（製品）の供給およびこれらの設計を実行するための装置であって、前記供給が注文、会計、請求書、構成要素（製品）、および発注当事者（顧客）の処理に基づいており、構成要素の発注および製作機能（機器）が発注当事者に配置されているかまたは発注当事者が利用可能であるように構成された装置において、記発注機能と製作機能（機器）との間に、前記処理のための格納装置があること、前記格納装置がモジュール設計であり、各モジュールが実質的に同一または同様の構造であること、および顧客の数の増加または減少したとき、あるいは顧客の性質が変化したときに、前記モジュールを拡張または縮小することができることを特徴とする装置。
【請求項３１】
歯科用補綴装具の製作、装着、および／または製作または装着の監視時に１台またはそれ以上のコンピュータの助けを借りてプロトコルを生成するためにコンピュータ媒体、例えばディスケット、ＣＤ等に格納されるプログラムであって、当事者（ユニット）が補綴装具用の構成要素（製品）およびこれらの設計（実現）を供給し、前記構成要素（製品）を発注する当事者（ユニット）が前記補綴装具を準備しかつ挿入するようにしたプログラムにおいて、
ａ）患者および彼／彼女の歯および／または顎骨の状態を定義し、
ｂ）製作に基づき、かつ同様のまたは対応する装具に関する格納データとの比較に基づき、患者のための作業手順を定義し、
ｃ）現行補綴装具の利点を定義し、
ｄ）モデル、例えば穴あけモデルを定義し、
ｅ）断層Ｘ線撮影を定義し、
ｆ）二次元または三次元ＣＡＤＤ機器を定義し、
ｇ）立体リソグラフィによるモデル製作を定義し、
ｈ）歯科技工士によるモデル製作を定義し、
ｉ）外科医によるプリパレーションを定義する
ことを特徴とするプログラム。
【請求項３２】
前記ポイントａ）ないしｉ）と並行して、
ｊ）変数を定義するステップと、
ｋ）文書を定義するステップと、
ｌ）形式を定義するステップと、
ｍ）フォルダを定義するステップと、
ｎ）エンベロープを定義するステップと
の１つまたは幾つかを実行することを特徴とする、請求項３１に記載のプログラム。
【発明の詳細な説明】
【０００１】
本発明は、少なくとも三者間で補綴装具作業を割り当てるための方法であって、歯科状況およびそこでの取付具の施用がコンピュータ画面（コンピュータ機器）上で第１当事者によってシミュレートされ、補綴装具に関連する第１構成要素が記録および前記シミュレーションの助けを借りて第２当事者によって作成され、第２構成要素が第３当事者によって供給され、かつ補綴装具が第１当事者によって前記第１および第２構成要素を用いて組み立てられ嵌合されるようにした方法に関する。本発明はまた、この方法に関連する装置にも関する。
【０００２】
本発明はまた、完全にまたは部分的に歯を失った患者の緩い補綴物を短い施用時間で固定装具と交換するための方法にも関する。短い施用時間とは、例えば１〜４時間、例えば約１．５〜２時間と理解される。該装置は、例えば歯科用ブリッジの形の固定装具を、完全にまたは部分的に歯を失った患者の少なくとも１つの顎骨、好ましくは上顎骨に施用するように意図される。該装置は、様々な患者の事例で寸法を決定し、様々な事例で嵌合取付具の施用のコンピュータ化表現の生成を処理し、所望の装具および対向顎骨の作業モデルを作成し、歯科用ブリッジおよび取付具ならびに歯科用ブリッジを固定するための固定部材の作成を注文し、患者の顎骨における取付具の施用および装具または歯科用ブリッジの固定を実施するタスクを持つ第１ユニット（または機器の品目）を含むことができる。前記第１ユニットまたは機器の品目は、歯科医、歯科専門家、補綴歯科医、外科医、断層Ｘ線撮影のための診療所または病院等に関係する。歯科技工士などを表すか、またはそこに配置される第２ユニットまたは機器の品目は、コンピュータ化表現および作業モデルに関する情報を用いて、患者および患者の歯科用ブリッジに取付具穴を形成するためのテンプレートを作成する。基本的要素および／または構造部品（参考：プロセラ）の供給者を表す第３ユニットまたは機器の品目は、第１ユニットまたは機器の品目から、注文および流通経路を介して、様々な患者のための様々な注文を達成するために必要な取付具および付属品の注文を受ける。注文および流通経路は電気通信および／またはコンピュータリンクを含むかまたはそれから構成することができ、インターネットは１つまたはそれ以上のリンクを構成するか、またはその一部とすることができる。こうして該装置は、前記歯科技工士を含むことのできる第２当事者から受け取った構造部品、歯冠、歯科用ブリッジ等、ならびに基本的要素および構造部品の製作者とすることのできる第３当事者から受け取った構成要素、例えばインプラント、スペーサ、固定ねじ等によって、前記短時間内に補綴装具の施用を可能にすることができる。構造部品は、モデル、テンプレート、印象、読取り、ツール等から構成することのできる製作部品、および機器または機器の品目により抜き出すことができ、該機器または機器の品目は少なくとも第３当事者によって所有されるかまたは第３当事者が利用可能であり、それは、代替実施形態で第３当事者が今度は、特定の製作部品を専門とするさらなる当事者によって作成が行われるように手配することができることを意味する。したがって該装置は、取付具および固定部材によって特定の歯科用装具を患者の顎骨または他の骨にかなりの精度要件で固定することを可能にする。該装置はこの場合、顎骨および可能な補綴物を画像化するための第１機器、顎骨および可能な補綴物の表現をコンピュータ機器で再生するための第２機器を含むかまたはそれと協働することができ、前記コンピュータ機器は表現における仮想のまたは計画された取付具施用を可能にするように意図される。該装置はまた、表現に基づいて装備部品を作成するための第３機器、および作業モデルを作成するための第４機器を含むかまたはそれと協働し、第４機器によってアタッチメントを装具部品に作ることができ、後者を完成させることができる。本発明はまた、応答当事者が照会当事者に、補綴取付装具および後者に関連する作業に関係する情報を供給することを可能にする構成にも関する。コンピュータはこの場合、歯科的状況およびそこにおける取付具施用をシミュレートするように設計される。補綴装具および後者の嵌合のために意図された構成要素を作成するために、１つまたはそれ以上の作成ユニットが構成され、それぞれの照会当事者に配置される機器は、補綴装具を可能にするかまたは準備するように設計される。加えて、該装置は、補綴装具用の構成要素または製品の供給、および作成当事者から構成要素を注文する当事者へのこれらの設計を可能にするように意図される。供給はこの場合、注文、会計、請求書、構成要素または製品、および発注当事者、すなわち顧客の処理に基づく。本発明はまた、補綴装具の作成、嵌合、および／または作成および嵌合の監視用に１台またはそれ以上のコンピュータの助けを借りてプロトコルを生成するためにコンピュータ媒体に格納されるプログラムをも提案する。この場合、一当事者またはユニットは、補綴装具用の構成要素または製品、およびこれらの設計を供給する。前記構成要素または製品を注文する当事者またはユニットは補綴装具を準備し、取り付ける。
【０００３】
このタイプの装具に関連して、患者のそれぞれの歯科的状況を厳密に決定するために断層Ｘ線撮影法および他の画像化原理を使用することがすでに公知である。歯科医、補綴歯科医、歯科専門家等に位置するコンピュータ機器を使用し、コンピュータ機器にＸ線撮影から得た表現および前記表現に関連する印象結果を入力することは公知である。緩い補綴または類似物を読み取るための読取り装置はそれ自体公知である。該装置は様々な原理、例えばレーザ走査原理、写真原理等に従って作動することができる。また、立体リソグラフィの助けを借りて、歯科または他の身体関連モデルのための作成機能を使用することも公知である。
【０００４】
純粋に一般的に、２０００年？？？？にＪｏｓ  Ｖａｎｄｅｒ  Ｓｌｏｔｅｎによって発行された「Ｃｏｍｐｕｔｅｒ  Ｔｅｃｈｎｏｌｏｇｙ」を参照する。特に１９２〜２４０ページのＫｒｉｓ  Ｖｅｒｓｔｒｅｋｅｎらによる「Ａｎ  ｉｍａｇｅ−ｇｕｉｄｅｄ  ｐｌａｎｎｉｎｇ  ｓｙｓｔｅｍ  ｆｏｒ  ｅｎｄｏｓｓｅｏｕｓ  ｏｒａｌ  ｉｍｐｌａｎｔｓ」の章を参照する。
【０００５】
また純粋に一般的に、Ｈａｎｄｂｏｅｋ  Ｏｒａｌｅ  Ｉｍｐｌａｎｔａｔｅｎ  １９９９，  Ｂｏｈｎ，  Ｓｔａｆｌｅｕをも参照する。
【０００６】
また、２０００年５月以前に？？？によって手配された様々な講義プログラムおよび課程も参照する。
【０００７】
また、基本的要素、モデル、歯の代用物（例えばスリーブ、歯冠等）のコンピュータ化された自動製作に関係するＰＲＯＣＥＲＡ（プロセラ）  ＳＥ製作システムをも参照する。これに関連して、スウェーデンのＮｏｂｅｌ  Ｂｉｏｃａｒｅ  ＡＢが所有する特許および特許出願ＷＯ  ９８／４４８６５および？？？？を参照する。また、本願と同一所有者の炭素繊維強化プラスチックによる歯科用製品の製作に関するスウェーデン特許ＳＥ４５７６９１をも参照する。また、本願と同一出願人によって出願されたスウェーデン特許出願、すなわち「位置決定装置」、「歯科用ユニットまたは人体向けユニットのための方法および装置、および「歯科用アタッチメント部品に含まれるユニットに穴を形成してスリーブを挿入するための装置」をも参照する。
【０００８】
また、スウェーデンのＮｏｂｅｌ  Ｂｉｏｃａｒｅ  ＡＢから市販されている製品の範囲、すなわちスリーブ、歯科用ブリッジ、取付具、固定部材、ツール、装置、器具等をも参照する。
【０００９】
完全にまたは部分的に歯を失っており、例えばすでに存在する補綴物の代わりに装具を嵌合させることを希望する患者のために固定装具を設計することはすでに公知である。当該装具作業は非常に時間がかかり、数週間および数か月にわたって引き延ばされる長期間に及ぶ患者での多数回の試行が関わってきた。患者はそのような治療を不便であると気付き、この理由から、当該治療を受け入れることを躊躇し、あるいはそれを受けることを完全に拒絶してきた。今、患者にとっての実際の治療時間を短縮することが一般的に必要である。本発明はこの問題を取り扱い、固定装具の実際の挿入または植込みを極めて短時間に、例えば１日または１日の一部分で実行することができなければならないことを提案する。
【００１０】
本発明は、以前は患者で実施された正確な嵌合作業が、一方では装具の様々な部品用に関係者（ユニット、機器）によって使用される機器に組み込まれ、他方では装置／ツールの助けを借りてモデルの作成に組み込まれ、かつ構造部品用の基本的要素および構造部品自体にも組み込まれている正確さまたは精度によって、患者外で行うことができるという認識に基づいている。本発明はこの問題も解決する。
【００１１】
装具の作成および装具の嵌合に関して、歯の当該代用物（例えば歯冠）の作成および装着に関係する当事者に対し、かなりの費用上の制約がある。本発明がこれに関連して解決する問題は、各々の個別事例で提供される資金を異なる当事者間に割り当てる方法を提供する問題である。処理を取り巻く作業および日常業務の当事者間の割当は非常に効率的であるので、当該装具に課せられるかなりの精度要件にもかかわらず、経済的目標を満たすことができることが重要である。本発明はこの問題も解決し、前記装具のための作成原理、作業割当原理、および有利な借方記入原理をも提案する。とりわけ、第３当事者（その後の当事者構成の幾つかにおいては、チェーンにおける第２当事者とも呼ばれており、これは技術上の理由による）は、関連する基本的要素、部品、およびサービスの効率的かつ正確な配分および借方記入を確保することがきなければならない。第２当事者（技術上の理由から、特定の協力形式では第３当事者と呼ぶこともできる）は、作業の彼の役割を実行し、設定された精度要件を満たさなければならない。第１当事者は、従来通り、診断に責任を持ち、患者の画像およびモデルを作成し、最終装具作業を非常に短時間に実行しなければならない。借方記入および資源の相互割当はこの場合、本発明によって提案されるものに従って行うことができなければならない。
【００１２】
それ自体公知であり、かつよく立証されている装置および方法および要素を、装具の作成および当該装具の嵌合のために使用できることが重要である。本発明はこの問題も解決し、可能な限り使用することのできる公知の技術および公知の方法に基づいている。
【００１３】
多数の歯冠および歯科用ブリッジ、例えばセラミックの冠または歯科用ブリッジ（ＡＣ冠：ＡｌｌｃｅｒＡＭ）がこの１０年間に作成され、嵌合されてきたのは公知である。これらは、とりわけ、スウェーデン国イェーテボリのＮｏｂｅｌ  Ｂｉｏｃａｒｅ社によって作成されてきた。プロセラＣＡＤ／ＣＡＮシステムとして知られるシステムが使用されており、そこにとりわけプリパレーション表面（ｐｒｅｐａｒａｔｉｏｎ  ｓｕｒｆａｃｅ）の詳細な記録が、歯のタイプの識別およびコンピュータネットワークを介しての注文と組み合わせて、ディジタル形式で完全なデータファイルとして格納されている。これらのデータファイルは、各プリパレーションをコンピュータ画面上で視覚化することを可能にし、こうして得られた二次元プロファイルは、プリパレーションで様々な構造の概要を得るために初期研究で使用されてきた。これに関連して、異なる歯科医群の間に大きな差があることが明らかになった。したがって、装具作業および装具上の構造に対する推奨をさらに洗練させることが可能である。本発明はこの問題も解決する。
【００１４】
主として本発明に係る方法を特徴付けるとみなすことができる特色は、記録が印象または補綴物（歯の構造）の第１読取り、および補綴装具を支持する部分（顎全部または一部）の第２読取りを含むこと、シミュレーションがコンピュータ画面上での照合を含み、第１および第２読取りの結果として画像または表現が得られ、それに基づいてシミュレートされた取付具施用が構築されること、およびシミュレートされた取付具施用が前記支持部に対して選択された位置決めを含むことである。該方法はさらに、例えばプラスチック製のモデルが、好ましくは立体リソグラフィ法によって前記当事者の一者または第４当事者によって作成されること、および第１構成要素がアセンブリテンプレートを含み、それをサブストレートに当てつけることができ、それがモデルによって作成され、かつアセンブリテンプレートによってサブストレートで選択された位置決め方向に対応する方向に案内される穴形成部材として意図されることによってさらに特徴付けられる。最後に、該方法は、第１構成要素が装具、例えば歯冠の一部を形成するユニットを含み、そこにサブストレートに形成された穴に接続するアタッチメント穴が設けられること、第２構成要素が、第１当事者によって前記形成された穴に施用される取付具を含むこと、および第２構成要素が、ユニットを前記施用取付具に固定するための固定部材、例えば固定ねじをも含むことによって特徴付けられるとみなすことができる。
【００１５】
該方法のさらなる展開は、前記方法に関する添付の従属請求項に記載する。
【００１６】
本発明にかかる装置を特徴付ける特色は、とりわけ、記録が印象または補綴物（歯の構造）の第１読取りおよび補綴装具を支持する部分（顎の全部または一部）の第２読取りを含むこと、シミュレーションに関連してコンピュータ（すなわちそのプログラム）がコンピュータ画面上で第１および第２読取りから結果的に得られた画像または表現の照合を可能にし、かつこれらの上に前記支持位置に対して相対的な選択位置を含むシミュレートされた取付具施用を表示するように意図されること、および当事者の一者または第４当事者に位置する第２機器、好ましくは立体リソグラフィ機器が例えばプラスチック製のモデルの作成用に意図されることである。さらなる特徴は、モデルによって作成されるアセンブリテンプレートであって、選択された位置決めの方向に対応する方向を取るためにアセンブリテンプレートによって案内することができる穴形成部材用の案内要素を有するアセンブリテンプレートの作成のために、第１製作ユニットが設けられること、および装具の一部を構成する構造ユニットまたは構造部品であって、サブストレートに形成される穴に接続するアタッチメント穴が備えられた構造ユニットまたは構造部品、例えば歯冠の作成のためにも第１製作ユニットが設けられることである。さらなる特徴は、第２製作ユニットまたは供給ユニットが、前記形成された穴用に意図された取付具、およびサブストレートに施用された取付具に構造ユニットを固定するための固定部材（例えばねじ）をも作成または供給することである。新規装置のさらなる展開は、前記装置に関する従属請求項に記載する。
【００１７】
本発明は様々な方法ステップに関し、第１ステップは、この場合は歯科医、歯科専門家、補綴歯科医等とすることのできる第１当事者による顎骨状態の例えば一次Ｘ線撮影の制御を含む。状態が受入れ可能である場合は、当該Ｘ線撮影装置にアクセスできる外科医、病院、診療所によって断層Ｘ線撮影が行われる。断層Ｘ線撮影のシミュレートされた第１表現が、好ましくは第１当事者によってコンピュータ機器に入力される。緩い補綴物の走査または読取りのシミュレートされた第２表現が追加的に前記コンピュータ機器に入力され、該走査または読取りは第１当事者または第２当事者が実行することができる。第１および第２表現はコンピュータ機器内で調整され、それに関連して、この例では歯科医、補綴歯科医、歯科専門家等とすることのできる第１当事者によって仮想取付具が適位置に配置される。こうして得られた結果は、好ましくは電気通信および／またはコンピュータネットワーク（それはインターネットを含むことができる）を介して、この例では歯科用基本的要素および構造部品（参考：プロセラ）の製作者である第２当事者に、第１および第２表現、前記調整、ならびに前記仮想取付具に関連付けることのできるコンピュータ情報またはディジタル情報の形で転送される。その後、実際のモデルの作成は、こうした転送されかつこうして受信された情報に基づいて、かつ好ましくは立体リソグラフィの助けを借りて実施され、該モデルは第１および第２表現のプラスチックモデルとすることができ、これは立体リソグラフィ機器を所有するかまたはそれにアクセスすることのできる第２当事者によって行われる。要素は実際のモデル、例えば仮想取付具の位置および方向に対応する位置および方向に配置された筒状要素に導入される。実際のモデルはその後、この場合は歯科技工士またはデンタルラボラトリ（ｄｅｎｔａｌ  ｌａｂｏｒａｔｏｒｙ）である第３当事者に転送される。好ましくは蝋から作られる緩い補綴物モデルもまた、好ましくは第１当事者から対向する顎の顎モデルと共に転送され、最後に示したモデルは石膏から作成することができる。加えて、咬合レジスタインデックス（ｂｉｔｅ  ｒｅｇｉｓｔｅｒ  ｉｎｄｅｘ）も第３当事者、すなわち歯科技工士に転送される。第３当事者（歯科技工士）は、顎骨と歯との間の軟組織を考慮に入れて、前記緩い補綴物および顎モデルおよび咬合レジスタインデックスによって患者の咬合型を作成するために咬合器を使用する。第３当事者（歯科技工士）は顎モデルを使用して、顎モデルに対するかつしたがって患者の顎に対する画定された施用位置を持ち、かつ取付具ダミーのためかつそれによって患者の顎骨の計画された凹所のために識別される方向および位置を持つアセンブリテンプレートを作成する。第３当事者（歯科技工士）による歯の代用物、例えば歯科用ブリッジの顎モデルおよび最終的にアセンブリテンプレートによる作成、および作成された歯の代用物または歯科用ブリッジは第１当事者（歯科医、補綴歯科医、外科医等）に転送され、第１当事者はアセンブリテンプレートによって、計画された取付具の挿入用の穴を形成し、穴への取付具の挿入後に、歯科用ブリッジをこうして挿入された取付具に固締する。
【００１８】
別の特徴は、基本的要素および構造部品の供給者（別の関連事例では第３ユニットと呼ばれる）が、取付具、固定ねじ、ツール等から構成することができる要素の基本セットを第１注文に応じて、歯科医、歯科専門家、補綴歯科医等である第１ユニットに供給することである。基本セットはこの場合、完全にまたは部分的に歯を失った患者に歯科用ブリッジを施用することから構成することができる特定の歯科状況で発生し得る様々な変化を網羅することができる。第２注文に基づいて、基本的要素および構造部品（プロセラ）の最後に示した供給者は、基本セットに属する付属品要素を供給し、該付属品要素は、患者の顎骨状態および顎骨サイズの相違に対処することを可能にする。言い替えると、本質的に知られている通り、患者は異なる大きさおよび構造の顎骨を持っており、この理由から、歯科医、補綴歯科医などによる効果的な治療を可能にするために、基本セットの前記付属品要素が必要になる。
【００１９】
基本的要素および構造部品（プロセラ）の製作者または第３当事者は、発注機能が作動するように設計された機器であって、上記に従って例えばインターネットを含む電気通信および／またはコンピュータリンクを介して、第１当事者によって顎骨構造がコンピュータでシミュレートされ、装具のモデルがこれに施用され、かつ上記構成部品に属する取付具（インプラント）が顎骨構造に施用された歯科的状況に関する情報を受け取る機器を所有しているかまたは利用可能である。加えて、基本的要素および構造部品の製作者に属する該機器は、前記シミュレートされた顎骨構造の例えばプラスチックで作られる実際のモデルおよびシミュレートされたモデルの立体リソグラフィ製作と共に作動するように設計され、実際のモデルは前記製作部品に含まれる。
【００２０】
第３当事者（基本的要素および構造部品の製作者）によって保持される構成要素および随意の製作部品はこの場合、様々な歯科的状況における様々なサイズ（すなわち顎骨および当該装具の幅、高さ等の大小）に寸法を適合させたプラットフォームに配設することができる。したがって、様々な状況に対する処理配列を提供することができる。基本配列は様々なプラットフォーム状況に提示することができ、そこで第１プラットフォームは「広い」、「普通」、および「狭い」寸法に関係し、したがって顎骨構造に関係する。
【００２１】
本発明はまた様々な機器の品目を持つ装置にも関係することができ、そこで第１機器は顎骨および補綴物を画像化するために設計され、第２機器はコンピュータ機器で顎骨および可能な補綴物の表現を再生するために設計され、前記コンピュータ機器は該表現における仮想取付具施用を可能にするように設計され、第３機器は該表現に基づいて装具部品を製作するために設計され、第４機器は作業モデルを製作するために設計され、該作業モデルによって装具部品に対する装着を行うことができ、後者を完成することができる。当該装置、好ましくは第４機器は、顎骨に正確に施用することができる穴形成テンプレートを製作するように設計され、機器の品目は、前記かなりの精度要件を満たす精度で作動し、画像化の段階と穴形成の段階の間で患者に標本試行を実行する必要性が省かれ、これは全て装具を短時間で固定することを達成するのが目的であり、この短い時間は例えば１〜３時間とすることができ、その時間中に穴が形成され、取付具が施用され、植え込まれた取付具に装具が固定される。
【００２２】
本発明はまた、上述した発注機能と製作機能（機器）との間に、上述した処理と同様の格納装置があることをも特徴とする。格納装置はモジュール設計とし、各モジュールは実質的に同一または類似の構造である。モジュールは、新しい顧客または離れていく顧客の数に基づいて、拡張または縮小することができる。代替的に、顧客は性質を変更したり、再配分することができる。
【００２３】
本発明はまた、データ処理装置が以前に実務で製作された装具の選択されたパラメータに関するデータまたは情報を含むかまたは受け取ることができるという事実にも関係する。データ処理装置は、現行補綴装具の１つまたは好ましくは幾つかのパラメータを受け取り、前記選択されたパラメータのうちの単数または複数の対応するパラメータと比較するように設計することができる。前記情報は特定の比較の結果を表すことができ、かつ、例えば補綴装具の１つまたは複数の特性、例えば強度、審美的外観、および／または色に関連付けることができる。加えて、該情報は、照会当事者が考える補綴装具および／またはこの装具に対する関連作業が危険ゾーン内であり受け入れられないという趣意の詳細および／またはデータから構成されるかまたはそれを含むことができる。
【００２４】
本発明はまた、一当事者またはユニットが補綴装具用の構成要素または製品およびこれらの設計を供給し、前記構成要素または製品を発注した発注当事者またはユニットが補綴装具を準備して挿入するように構成された、歯科用補綴装具の製作、装着、および／または製作および装着の監視において、１台またはそれ以上のコンピュータの助けを借りてプロトコルを生成するためにコンピュータ媒体に格納されるプログラムにも言及する。主として該プログラムを特徴付けるとみなすことのできる特色は、患者および彼／彼女の歯および／または顎骨の状態を定義し、製作および同様のまたは対応する補綴装具に関する格納データとの比較に基づいて患者のための作業手順を定義し、現行補綴装具の利点を定義し、モデル、例えば穴あけモデルを定義し、断層Ｘ線撮影を定義し、二次元または三次元ＣＡＤＤ機器を定義し、立体リソグラフィによるモデル製作を定義し、歯科技工士によるモデル製作を定義し、外科医によるプリパレーションを定義することを含む段階である。当該定義付けは、変数、文書、形式、フォルダおよび／またはエンベロープの定義の生成と平行して行われる。
【００２５】
上で提案したものによって、患者における作業時間は驚くほど短縮される。前記短時間後に、患者はもう、その顎に固定装具を施用した状態で、歯科医、補綴歯科医、外科医等を離れることができる。固定装具は、患者に大きすぎる不便をかけることなく、事実上一体化することができ、それによって患者は固定具の挿入およびそれらに対する試験を含む長引くプロセスを回避する。該試験は従来多数回の試行から構成されてきた。第２および第３当事者、すなわち歯科技工士またはデンタルラボラトリならびに基本的要素および構造セット（参考：プロセラ）の供給者に精度要件を組み込むことができる。すでに公知の範囲の基本的要素および構造部品は引き続き使用することができ、本発明は歯科技工士またはデンタルラボラトリに、専門的要求事項を満足させながら、彼らの作業を簡素化しかつ短縮する方法および装置を提供する。これに関して先進的借方記入および流通システムを利用することができるかまたは所有している第３当事者（プロセラ）は、既存の借方記入および流通経路を使用することができる。方法および装置の一部分は歯科技術により作動し、Ｘ線、走査、画像化等の情報はそれ自体公知の方法でディジタルで送信することができる。高度Ｘ線画像化、高度モデル、および構造部品の様々なディジタル表現（例えば立体リソグラフィによって得られる）は、電気通信および／またはコンピュータネットワークの既存のリンクを介して容易に転送することができる。当該モデルを非常に高い精度で作製するためのコンピュータプログラムは市販されており、この文脈で使用することができる。前記精確なモデルを歯科技工士またはデンタルラボラトリは構造モデルとして使用することができ、それにより歯科用装具に関係して要求される精度の保証が得られる。本発明はまた、モデル、テンプレート等の製作に関連して洗練された処理方法、ならびに歯科技工士、補綴歯科医、デンタルエキスパート、外科医等によって使用される構造部品および装具をも提供する。本発明では、例えば多数のプリパレーションの形および装具によって特徴付けられる様々なデータパラメータを照合し、処理するために計算およびコンピュータプログラミングのためのアルゴリズムを開発することができる。したがって、プリパレーションの形状に関する特定の数の特徴的パラメータを計算し、これらをプリパレーションの視覚的特性と比較し、理想からの最も頻繁な相違を決定し、幾何学的に関連する可能な変化を検討することができる。理想的なプリパレーションからの重大な相違がある場合、補正を提案し、また装具の挿入により、あるいは患者が装具を使用した後しばらくして発生する、失敗を示すことが可能である。コンピュータプログラムは各装具の臨界パラメータの変動を計算することができ、それは将来の装具の有効寿命を延長できることを意味することができる。
【００２６】
装置および方法の現在提案する実施形態について以下で、添付の図面を参照しながら説明する。
【００２７】
図１は、患者および患者の顎骨用の固定装具の供給に関係する三当事者を示し、当事者間の構成部品、構造部品、および基本的要素の流れを示し、かつ上記に接続された借方記入機能をも示す基本回路およびブロック図である。
図２は、関係当事者のための流通および借方記入経路を示す基本回路およびブロック図である。
図３は、多数の患者が多数の第１当事者の方を向き、第１当事者が次により少数の歯科技工士またはデンタルラボラトリによってサービスを供給され、次に彼らが第３当事者（プロセラ）によってサービスを提供されることを示すに基本回路およびブロック図である。
図４は、当事者Ａ、Ｂ、Ｃが異なるタイプのリンクを介して彼らのコンピュータ機器といかに相互接続されるかを示す基本回路およびブロック図である。
図５は、顎骨を画像化したモデルを使用する穴形成テンプレート（アセンブリテンプレート）の作製、ならびにモデルに施用される取付具ダミーおよび伸縮スペーサおよび伸縮ねじを示す部分切欠き垂直断面図である。
図６は、顎骨に施用された歯科用装具の部分を示す部分切欠き垂直断面図である。
図７は、当事者またはユニットＡ、ＢおよびＣ間の協力を示す基本回路図である。
図８は、装具および装具に関連付けられる顧客の商業的処理を示す象徴斜視図である。
図９は、図８による処理のためのモジュールシステムを示す斜視図である。
図１０は、患者における歯科用装具のためのフローチャートである。
図１で、患者はＰで表され、三当事者はＡ、ＢおよびＣによって表され、第１当事者は歯科医、補綴歯科医、歯科専門家、外科医等であり、すなわち個々の患者で診断および実際の装具作業を処理する当事者または従属当事者である。第２当事者Ｂは、歯科技工士またはデンタルラボラトリによって代表され、第３当事者Ｃは基本的要素および構造部品（参考：プロセラ）の供給者である。本例では、第３当事者は当該基本的要素および構造部品の自動製作にアクセスすることができる。第１当事者に位置する機器またはユニットは１で表され、第２当事者に位置する機器およびユニットは２で表され、第３当事者に位置する機器またはユニットは３で表されている。第１当事者Ａでは、様々な機能、例えば歯科医術機能、補綴機能、歯科専門家機能、外科機能等の間の配分が、それ自体公知の方法で患者Ｐによって利用される。当事者Ａは、病院、診療所、または同様の施設４でＸ線機能にアクセスすることができると考えられる。本例では、第３当事者Ｃは、それ自体公知のタイプの立体リソグラフィ装置５を所有するかまたは（例えば契約により）アクセスすることができる。第１当事者Ａ（すなわち実際の従属当事者）は最初に、患者が実際に所定の顎骨における固定装具に適しているか否かを評価するために、患者Ｐの予備検査を引き受ける。第一に、患者は上顎の歯を完全にまたは部分的に失っており、その理由からこの顎の検査が最もしばしば実行される。１本または複数の歯が抜けている下顎には固定装具を設けることが本質的に可能である。患者が固定装具を受け入れることができると判断された場合、患者の顎または顎部分を読み取るかまたは走査しなければならない。加えて、緩い補綴物（人工歯）の画像化を実行しなければならない。本例では、画像化機能は、図１で矢印６および７によって示され、ここで第１矢印は顎または顎部分の画像化を表し、矢印７は緩い補綴物の画像化を表す。緩い補綴物が無い場合、当該緩い補綴物に対応するとみなすことのできるモデルが製作される。当事者Ａが断層Ｘ線撮影を使用する場合、第１当事者ＡがそのようなＸ線装置を持っていなければ、患者は病院４または類似物の放射線科に送られる。患者と放射線科との間のこの接触は、図１で８によって表される。病院４または類似物の放射線科を利用する場合、Ｘ線検査の結果をディジタル化して、ディジタル形式１０でリンク９を介して送信することができる。病院４または類似物および第１当事者Ａにおける機器またはユニット１は、この例では、どちらもコンピュータ機器４ａおよび１ａをそれぞれ装備している。転送は電気通信および／またはコンピュータリンクによってそれ自体公知の方法で行うことができる。
【００２８】
プラスチックモデルまたは他の材料から作られたモデルを立体リソグラフィによって製作する場合、当事者Ａは当事者Ｃと契約するか発注する。ディジタル信号１１は、当事者Ａによって当事者Ｃに送信され、当事者Ｃはコンピュータ機器３ａで信号１１をインポートまたは受信する。送信は、リンク１２を介して矢印１３の方向に行われる。ディジタル信号１１は患者の顎骨および緩い補綴物または等価物の表現を表す。信号１１はまた、画像化された顎骨および画像化された緩い補綴物の調整、ならびに当事者Ａによってそれ自体公知の方法で行われた取付具の施用をも表す。リンク１２は電気通信および／またはコンピュータリンクを介して行うことができ、それはインターネットを含むことができる。ここで、表現「電気通信および／またはコンピュータリンク」は、一般的に利用可能なリンクまたは専用リンクを意味すると受け取ることができる。当事者Ｃは、第３当事者Ｃが自ら当該立体リソグラフィ装置を持たない場合、第４当事者（図１には図示せず）と契約する。この場合、第４当事者は当該装置を所有しており、第３当事者は注文に関する情報１２および第１当事者Ａによって行われた読取りに対応する情報を転送する。情報１４はディジタル化され、上記による電気通信および／またはコンピュータリンクを介して送信される。信号の方向は、図１で矢印１５によって示される。第４当事者は立体リソグラフィ蝋モデルを設計または製作して、後者を第３当事者に返送する（矢印１６参照）。借方記入機能および発注機能は前記リンク１７を介して行われ、それ自体公知である借方記入機能はこの例では、当事者Ｃにおいてまたは当事者Ｃによって使用される。第４当事者に位置するコンピュータ機器は５ａによって示される。製作されたプラスチックモデルに関する情報は、適切な場合、矢印１８の方向に第１当事者Ａに返送される。立体リソグラフィの実際のモデルは当事者Ｃから当事者Ｂに転送される（矢印１９参照）。第２当事者は第１当事者から、当該モデルを製作する旨の注文を受け取る。この発注は、電気通信および／またはコンピュータネットワークを介して行うことができ、図１ではディジタル信号２０によって表されている。加えて、計画処理、個別特性、日付、費用等に関する情報２１は、コンピュータ機器２ａにアクセスできる第２当事者Ｂに送信される。第１当事者Ａはまた、所定の患者タイプ用の基本的配列および患者の特殊な特徴に適合するように意図された可能な補助配列をも第３当事者Ｃに発注する。前記配列は様々なタイプの基本的要素、例えばドリル／取付具、ドリルガイド、ガイドドリル、および他の種類のドリル、溝削り部材、取付具、装着スペーサ、ねじ締め具、支持体、支持ピン、装置、歯ブラシ、セメントセット、バイト研削用フライス盤、および穴を閉塞するための手段を含む。発注および借方記入機能は第３当事者の公知の発注および借方記入機器で実行される。発注機能はディジタル化され、図１では２２によって表される。流通経路も矢印１８の方向のリンク１２の一部とみなすことができる。対応する発注、流通、および借方機能経路は第２当事者Ｂと第３当事者Ｃとの間に確立される。第２当事者からの発注は上述と同じ方向にディジタル化され、ディジタル信号２３により矢印２４の方向に行われる。当事者Ｃから当事者Ｂへの供給および借方記入機能は、ディジタル情報２６によってリンク２５を介して矢印１９の方向に、かつリンク２５の一部を形成するかまたはリンク２５によって象徴されるとみなすことができるハードウェア流通経路によって行われる。
【００２９】
第２当事者は最終製品として第１構成要素を製作し、それは図１に象徴的に示される流通経路２７を介して、矢印２８の方向に第１当事者に供給される。前記第１構成要素は、第１当事者が穴形成部材として使用するアセンブリテンプレート２９を含む。また、装具、例えば歯冠３０を形成するユニットも含まれる。第３当事者は上記および以下の説明に従って第２構成要素３１を供給する。
【００３０】
第１当事者は、患者の顎に穴を形成するためにアセンブリテンプレートを使用し、第３当事者から取得した、前記第２構成要素３１に含まれる取付具を施用する。加えて、第３当事者はとりわけ上述した固定ねじを第１当事者に供給する。第１当事者は穴を形成し、取付具を施用し、装具または歯冠をそこに上述した非常に短い時間で固締する。第１当事者Ｂに位置する従属機器３２では、とりわけ、それ自体公知のタイプの咬合器が使用される。対向顎のモデル、例えば石膏モデル３３は、立体リソグラフィによって製作された実際のモデル、取付具ダミー、および前記咬合レジスタインデックスと共に咬合器に施用される。これに関連して、軟質プラスチックまたは類似物を使用して、顎骨モデルと緩い補綴モデルとの間にある歯肉のモデルが製作され、これもまた第１当事者によって製作される。第２当事者は、立体リソグラフィプラスチックモデルの助けを借りて歯科用ブリッジを製作し、そこでスペーサがモデルの取付具上に装着され、合着スリーブがスペーサ上に固定される。歯科用ブリッジのフレームは炭素繊維強化プラスチックから作ることが好ましいが、チタンまたは歯科用合金から作ることもできる。代替軟組織はビニルまたはポリシロキサンから作ることができる。スペーサの長さおよび軟組織に対するブリッジの形状が決定され、画像化される。こうして形成された構造部品またはブリッジ骨格上に人工歯が施用される。代替歯または人工歯は例えば蝋モデルから加工され、そこで人工歯はアクリレートから作られ、患者で試験される。軟組織には小ピン形またはスパイク形要素を設けることができ、それは立体リソグラフィ製作中にコンピュータプログラムで自動的に画像化される。前記アセンブリテンプレートは、穴形成スリーブまたはドリルスリーブを支えるスペーサを含むことができ、前記炭素繊維強化プラスチックの助けを借りて一緒に保持される。
【００３１】
図２では、多数の患者がＰ、Ｐ′、Ｐ′′、Ｐ′′′によって示される。これらの患者が、上述した検査およびモデリングを実行する当事者Ａのところに行くと仮定される。患者は第１機器３４によって処理され、第１当事者は、歯科治療のタイプをその関連変形により適合させるために、上記に従って、基本セット３５、３６および３７ならびに関連補助セット３８、３９および４０を発注する。患者の第１当事者への接続は４１、４２、４３および４４によって示される。第３ユニットまたは当事者Ｃから第１ユニットまたは当事者Ａへの流通経路は４５、４６、４７、４８、４９、および５０によって示される。他の構成要素、例えば構造部品、ツール、器具もまた当事者Ａが当事者Ｃに発注することができ、構成要素内容５１および流通経路５２によって示される。したがって、例えば蝋モデル、または蝋モデルの表現をこの経路で配付することができる。当事者Ｂは当事者Ｃに発注することができる。そのような注文はモデル、ツール、器具等を含むこともでき、構成要素内容５３および流通経路５４および５５によって示され、流通経路は例えば小荷物配達経路とすることができる。図２で、借方記入機能または借方記入装置は第３当事者では５６によって、第２当事者では５７によって、第１当事者では５８によって示される。前記借方記入経路は、連結または固定電気通信および／またはコンピュータリンクを用いて確立され、それは上述した発注およびデータ信号転送経路としても役立つ。したがって、当事者Ａはリンク５９を介して当事者Ｃに機器またはモデルを発注することができ、それは当事者Ｃによって記録され、同一または同様のリンクを介して借方記入される。発注方向は６０によって示され、借方記入方向および確認方向は６１によって示される。当事者Ｂはまた当事者Ｃにも発注することができ、これはリンク６２を介して６３によって示される方向に行われる。当該機器またはサービスの借方記入は、同様のリンク６２を介して方向６４に行うことができる。同様の方法で、発注および借方記入機能はリンク６５を介してユニットＡとＢの間で交換される。当事者Ａから当事者Ｂへのモデルの移送および当事者Ｂから当事者Ａへの完成した装具、テンプレート等の移送を可能にするために、小荷物リンクまたはハードウェアリンク６６もこれらのユニットＡとＢの間に配設される。図２には、当事者Ａによる患者の借方記入のためのリンク６７も象徴的に示されている。図３に係る実施形態では、多数の患者Ｐが比較的多数の第１当事者（歯科医、補綴歯科医等）のサービスを受ける。第１当事者は今度は、第１当事者の数より少数存在すると想定される、多数の歯科技工士またはデンタルラボラトリによるサービスを受ける。第３当事者Ｃ（プロセラ）は全数の患者ならびに第１および第１ユニットにサービスを提供することができる。上記に従って、第３ユニットは前記基本的配列６８ａ、６８ｂ、６８ｃおよびこれらに属する補助セット６８ａ′、６８ｂ′、および６８ｃ′を供給する。構成要素、器具等は６９で表され、上記に従って、第２当事者Ｂに供給することができる（示された矢印参照）。第３当事者はまた、７０で示されたサービスをも提供し、該サービスは患者ならびに前記第１および第２当事者の方向に向けることができる。図３に主借方記入機能が７１で示される。図３には、様々な領域で受ける注文機能も７２、７３および７４で示される。図３に示す矢印は、システム内のサービス、構成要素、および借方記入の方向を示す。
【００３２】
図４では、ブロック回路図に、当事者Ａ、ＢおよびＣに位置するコンピュータ機器がそれぞれ７５、７６および７７で示される。Ｘ線機能用および立体リソグラフィ機能用のコンピュータ機器は７８および７９で示される。コンピュータ機器はモデム（例えばコンピュータ７５および７６の７５ａおよび７６ａを参照）によって異なるネットワークに接続される。電子ネットワークまたはリンクは、図４に８０で表された一般通信ネットワーク、１つまたはそれ以上の特別に構成された、例えば固定されたリンク８１、および／またはインターネットから構成するかまたはそれを含むことができるコンピュータネットワークリンク８２から構成することができる。コンピュータ機器は、それぞれのモデムによって前記ネットワークの１つまたはそれ以上に接続することができる。
【００３３】
当事者Ｂ（歯科技工士またはデンタルラボラトリ）はその仕事のために、顎骨および歯科補綴物をこれらの間の中間空間と共に画像化するモデルを要求する。該中間空間は事実上軟組織（歯肉）の空間に対応する。これは、対向顎用の咬合器（上記参照）への、または再装着ブロックへのプラスチックモデルの挿入を可能にする。コンピュータの仮想モデルでは、取付具装具のための位置は事前に計画される。穴の周囲に、または穴を形成するために、固体材料から作られたスリーブが、プラスチックモデルにおける取付具の装着を確保する必要がある。顎骨を画像化するプラスチックモデルのその部分は、図５および６に示されており、顎骨モデルは図５に８３で示されている。図６では、軟質プラスチックから作られた人工軟組織が８４で示される。上記に従って、プラスチックモデルは第３当事者から得られる。蝋から作られたモデルまたは代替歯とアクリレートで作られた人工歯は、患者の口内で試験され、適切な色、形状、および咬合であるか検査される。ブリッジのアクリレート歯を完成した歯科用ブリッジに移すことを可能にするために、これもまた顎骨ブリッジを製作する歯科技工士に送られる。加えて、当事者Ｂは、歯科技工士への輸送中に妨げにならない印象材から作られた対向顎の石膏モデルまたは印象を受け取る。咬合レジスタインデックスは、顎の相互の咬合関係の位置調整を可能にするために、便宜的に蝋で形成することができる。デンタルラボラトリまたは歯科技工士による咬合器への顎モデルの挿入は、患者の口内の咬合関係と一致しなければならない。従来の補綴蝋は本例で有利である。加えて、第２当事者は注文の内容、計画されている治療、特殊要件、例えば個人的な特徴、および作業に関するその他の詳細、ならびに作業が診療所（当事者Ａ）で行われる日付を得る。
【００３４】
第１当事者は上記に従って補綴物および外科器具を提供される。上述した基本セットおよび随意の補助セットと同様に、プラスチックモデルおよび歯科用ブリッジが入手可能である。上述したプラスチックモデルは、コンピュータ断層Ｘ線撮影の助けを借りて画像化された患者の顎のモデルである。咬合位置調整および咬合器への装着を可能にするために、それは代替歯も含む。コンピュータの助けを借りて、取付具の座の位置が事前に上記に従って決定され、次いで立体リソグラフィの助けを借りて、この例示的実施形態ではエポキシ材を用いて、プラスチックモデルが製作される。モデルは顎骨８３と、軟組織のための前記中間空間８６付きの歯科補綴物８５（図６参照）とを画像化する。歯科補綴物モデルは、立体リソグラフィプロセスで製作するときに、プログラムで自動的に画像化されるピン（図示せず）の助けを借りて、顎骨モデル８３上に支持される。適切な取付具８７がモデル上の計画された穴／座に配置される。モデルの助けを借りてアセンブリテンプレート８８（図５参照）が製作される。アセンブリテンプレートは、ドリル／取付具ＲＰのためのテンプレートを表す。モデルの製作において、穴はスリーブ８９により強化され、テンプレートをそのアタッチメント内で傾けることができない事実上の締付け中にさえも、画定された理想的な位置にテンプレートを保持するために伸縮スペーサ９０および伸縮ねじ９１が含まれるようにも構成される。スペーサ９０は取付具８７に支承される。テンプレート製作プロセスによって、前記テンプレートは次いで患者に移すことができ、そこで高い精度を達成する穴形成テンプレートとして機能する。テンプレートの製作中、後者には、顎モデル８３の頂部表面８３ａに支承される支持部８８ａが設けられる。顎骨の全延長におけるまたはそれに沿ったテンプレートの広がりは、テンプレートが患者の口の中で精確な位置を獲得することを意味する。好適な実施形態では、テンプレートは炭素繊維強化プラスチックを含む。
【００３５】
図３では、図６に係るプラスチックモデル部から歯科用ブリッジが製作される。デンタルラボラトリまたは歯科技工士用に意図された特殊スペーサ９２は、モデルの取付具８７上に装着され、スペーサ上に合着スリーブ９３が施用される。ブリッジ骨格８５は炭素繊維強化プラスチック、チタン、または他の歯科用合金から構成することができる。スペーサはチタンから作ることが好ましく、一実施形態では、３．５ｍｍおよび５ｍｍの長さを有する。スペーサは、患者の口内でブリッジのチタンスリーブ９３に合着され、金のスペーサねじ９４を用いて取付具にしっかりと締め付けられる。ブリッジ骨格上にそれ自体公知の方法で歯ダミー９５が施用される。
【００３６】
外科医または同等の者は上顎骨のｍｕｃｏｌａｂｉａｌ  ｆｏｌｄ（この場合、歯科用ブリッジが所定の位置に置かれたときに弁を一緒に縫合することは不可能なので、上顎骨の頂部ではなく）を露出させる。上顎骨を露出させると、ドリル／取付具用のアセンブリテンプレートの両側に組み込まれた支持体の助けを借りて、デンタルクレスト（ｄｅｎｔａｌ  ｃｒｅｓｔ）にドリル／取付具用のアセンブリテンプレートを（それ自体公知の方法で）施用する。デンタルクレストの個々の形状における正しい位置を見出さなければならない。ドリル／取付具用のアセンブリテンプレートが安定した位置に着座しているときに、取付具装着の作業を開始することができる。ドリル／取付具用のアセンブリテンプレートは、デンタルクレスト上の正しい位置に適切に保持される。アセンブリテンプレートの実際のスリーブにドリルガイドが配置される。歯列弓の半分より上の中心に配置されるスリーブを選択することが有利である。次いで、歯列弓の反対側の半分の中心に位置する別のスリーブが選択される。次いで穴形成作業を開始することができる。穴が形成されたときに、骨の溝削り部と取付具との間の接触が達成されるまで、実際の取付具が施用される。その後、アセンブリテンプレートは、伸縮スペーサの助けを借りて施用取付具に固締され、その後、反対側の取付具を施用する作業を進めることができる。この取付具も固締されると、アセンブリテンプレートもこの取付具に固定され、アセンブリテンプレートが装着された最初の２つの取付具にねじ留めされると、次いで、アセンブリテンプレートがより確実に所定の位置に着座する違いがあるが、残りの取付具の装着を続けることができる。全ての取付具が装着されると、アセンブリテンプレートは取り外すことができ、その後、このように施用された取付具上に歯科用ブリッジを施用することができる。歯科用ブリッジは試験され、必要ならばわずかな補正をして調整される。例えばブリッジ内のスリーブの１つが取付具上に正確に着座していない場合、それは例えばラウンドドリルにより調整することができる。その後、歯科用ブリッジは合着される。それはアクリレートをベースとするセメントによりおこなうことができる。セメントが硬化した後、ブリッジを緩め、暫定的に取り外すことができる。取付具を下にして弁が縫合されると、ブリッジは軟組織を介して再び取付具上に施用される。対向する顎の咬合研削を行うことができ、ねじ穴は通常の方法で再び埋め戻される。
【００３７】
上記に従って、歯科用ブリッジは、取付具ダミーが設けられたプラスチックモデル上で製作される（図５および６参照）。プラスチックモデルと人工歯モデルとの間の中間空間の歯肉は事前に製作される。取付具上の代替歯肉に適切な穴があけられ、そこに適切な長さのスペーサが装着される。この例示的実施形態では、スリーブ９３は円錐形である。ブリッジ骨格８５は炭素繊維強化プラスチックから作られる。前記スウェーデン特許第４５７６１９号を参照されたい。炭素繊維ブリッジの穿孔およびスリーブの施用については、冒頭に示した、本願と同日に出願したスウェーデン特許出願により詳細に記載されている。挿入されたスリーブ９３付きの完成した炭素繊維ブリッジには次のステップでプラスチック歯が設けられ、それはゴムバンドを用いて患者モデルに装着されたシリコーン型のそれぞれの場所に、速効性接着剤、例えばシアノアクリレートで固定される。その後、液体成分（アクリル）が公知の定まった手順に従ってプラスチック歯の間および炭素繊維骨格の周囲に塗布される。これは、選択されたプロセスによって異なる特定の温度で圧力下で水中のアクリル重合装置内で重合される。重合および冷水による冷却の後、ブリッジは公知の定まった手順に従って緩められ、清掃され、咬合器で咬合研削される。
【００３８】
図７は、９６で示される顎（上顎）を示す。Ｘ線装置が９７で示される。ディジタル信号９８または第１表現が回線またはリンク９９で、当事者Ａに位置するコンピュータ機器に送信される。図７はまた、１００で示される緩い補綴物または代替歯のモデルをも示す。これも例えばコンピュータ断層Ｘ線撮影、レーザ走査、写真測量等によって読み取られ、それはディジタル信号１０３または第２表現をリンク１０４で前記コンピュータ機器に送信する。ユーザ１０５は、既知のタイプのコンピュータプログラム１０７によって、例えば顎骨および緩い補綴物またはそれらのモデルの前記表現９８および１０３のコンピュータ画面１１０上の仮想画像１０８および１０９をシミュレートするために、コンピュータ端末１０６を操作する。ユーザは仮想画像を調整し、実際の顎骨における仮想取付具１１１、１１２の最適施用を計画する。顎骨、補綴物、および取付具の調整された構成は、上記に従ってディジタルで当事者Ｃにエクスポートされる。信号はこの例では１１３によって示され、リンクは１１４によって示される。当事者Ｃは、上記に従って、顎骨、補綴物（または等価物）および取付具または取付具位置の代用物（チューブ要素）を含むプラスチックモデルの製作を扱う。モデルは、リンク１１５で表された小荷物として送られる。
【００３９】
上記に従って、当事者Ａはまた当事者Ｂに、１１７で表される患者の下顎のモデルまたは印象１１６をも提供する。上記に従って、当事者Ｂは当事者Ａのためにアセンブリテンプレート１１８を製作し、該テンプレートは穴形成部材（ドリル）１１９を案内するために使用される。この例では、小形ドリルで予備穴あけ１２０が行われている。図７はまた、取付具１２１が顎骨９６に装着されていることをも示す。咬合器１２２は１２２で象徴的に示され、そこに当事者Ｃから得たプラスチックモデル１２３が、当事者Ａから受け取った印象１１６′と一緒に配置されている。軟組織または歯肉のための上記空間１２４は、咬合器でシミュレートされる。印象（石膏の）のための輸送リンクが１２５で示される。
【００４０】
本発明ならびに図８および９に従って、顧客、注文、製作等を処理するためにファイルシステムが使用される。このファイル処理はコンピュータ装置で行われるように意図されているが、コンピュータ世界の外で該機能を明瞭に示すために、これらは象徴的なハードウェアによって示されている。システムはモジュールから作成され、ファイルキャビネット１２８に出し入れすることのできるファイルホルダ１２７を持つ１つのモジュール１２６が示されている。ファイルホルダは多数のファイルまたはセクションを含み、第１ファイルは注文ファイル１２９として示され、第２ファイルは会計ファイル１３０として、第３ファイルは請求書ファイル１３１、第４ファイルは製品または構成要素ファイル１３２、第５ファイルは顧客ファイル１３３として示されている。ファイルホルダ１２７の内容は特定の数の顧客に関連付けることができ、全体としてのモジュールシステムは、ファイルホルダまたはモジュール１２７の数を拡張することによって到来する顧客を受け入れることができるように設計される。様々なファイルホルダが実質的に同一または同様の内容を持ち、図８には、挿入されたファイルホルダが１３４で示されている。
【００４１】
図９には、モジュールシステムの構造が３つのキャビネット１２６′、１２６′′および１２６′′′によって示されている。第１キャビネット１２６′は、上記に従ってファイルホルダ１２７′、１３４′等を含む。キャビネット１２６′′および１２６′′′は実質的に同一または同様の構造を持つ。様々なキャビネットの内容は調整することができ、それは同じく象徴的に示されたリンク１３５によって表される。図９に従って、到来する注文のおよび製品の製作の流れを分離することができる。図９では、製品自体または直接顧客とすることができる注文ステーションが１３６で示される。本例では、注文文書（すなわち注文ファイル）が１３７で示される。該文書は、発注者と製作機能との間に配設された１３９で示される格納システムに矢印１３８の方向に転送される。該転送１３８は、上記に従って、それ自体公知の方法で、電子リンクまたはワイヤレス通信を介してディジタルで行われる。製作機能は１４０で示され、製作機能は文書（またはファイル）１６を格納機能１３９から抜き出したり、そこへインポートすることができる。文書１４１の移送方向は１４２によって示される。この接続は、上記に従って有線または無線にすることができる。
【００４２】
本発明に従って、図１０に示す通り、歯を失った顧客をデンタルプレートで治療するためにフローチャートを設定することができる。患者は特定のパラメータにより、例えば顎骨状態、年齢等により定義される。この定義はブロック１４３で行われる。その後、ブロック１４４で、患者の状態が以前の経験に関連して定義される。この比較機能は外科医または補綴歯科医が実施することができる。所望の歯科的状況の利点がブロック１４５で定義される。この定義付けは、患者と外科医との間の相談により行われる。モデル製作、例えばドリルモデルの製作はブロック１４６で定義される。Ｘ線状況はブロック１４７で、例えば断層Ｘ線撮影法を使用するか、これを病院で行うか、あるいはコンピュータ断層Ｘ線撮影によって行うかが定義される。好ましくは三次元ＣＡＤＤ装置を用いた製作機能はブロック１４８で定義される。立体リソグラフィ装置をモデルの製作に使用する場合、これはブロック１４９で行われる。取付具のマーキング付きプラスチックモデルはブロック１５０で定義される。その後、歯科技工士の作業がブロック１５１で定義される。外科手術の準備はブロック１５２で定義される。データプログラミングに使用される他のパラメータが実現される。上記を参照されたい。
【００４３】
本発明は、例として上述した実施形態に限定されず、代わりに、特許請求および発明の概念の範囲内で変形することができる。
【図面の簡単な説明】
【００４４】
【図１】患者および患者の顎骨用の固定装具の供給に関係する三当事者を示し、当事者間の構成部品、構造部品、および基本的要素の流れを示し、かつ上記に接続された借方記入機能をも示す基本回路およびブロック図である。
【図２】関係当事者のための流通および借方記入経路を示す基本回路およびブロック図である。
【図３】多数の患者が多数の第１当事者の方を向き、第１当事者が次により少数の歯科技工士またはデンタルラボラトリによってサービスを供給され、次に彼らが第３当事者（プロセラ）によってサービスを提供されることを示すに基本回路およびブロック図である。
【図４】当事者Ａ、Ｂ、Ｃが異なるタイプのリンクを介して彼らのコンピュータ機器といかに相互接続されるかを示す基本回路およびブロック図である。
【図５】顎骨を画像化したモデルを使用する穴形成テンプレート（アセンブリテンプレート）の作製、ならびにモデルに施用される取付具ダミーおよび伸縮スペーサおよび伸縮ねじを示す部分切欠き垂直断面図である。
【図６】顎骨に施用された歯科用装具の部分を示す部分切欠き垂直断面図である。
【図７】当事者またはユニットＡ、ＢおよびＣ間の協力を示す基本回路図である。
【図８】装具および装具に関連付けられる顧客の商業的処理を示す象徴斜視図である。
【図９】図８による処理のためのモジュールシステムを示す斜視図である。
【図１０】患者における歯科用装具のためのフローチャートである。
【図１】
2004522489.tif 000003
【図２】
2004522489.tif 000004
【図３】
2004522489.tif 000005
【図４】
2004522489.tif 000006
【図５】
2004522489.tif 000007
【図６】
2004522489.tif 000008
【図７】
2004522489.tif 000009
【図８】
2004522489.tif 000010
【図９】
2004522489.tif 000011
【図１０】
2004522489.tif 000012
【国際公開パンフレット】
2004522489.tif 000013
2004522489.tif 000014
2004522489.tif 000015
2004522489.tif 000016
2004522489.tif 000017
2004522489.tif 000018
2004522489.tif 000019
2004522489.tif 000020
2004522489.tif 000021
2004522489.tif 000022
2004522489.tif 000023
2004522489.tif 000024
2004522489.tif 000025
2004522489.tif 000026
2004522489.tif 000027
2004522489.tif 000028
2004522489.tif 000029
2004522489.tif 000030
2004522489.tif 000031
2004522489.tif 000032
2004522489.tif 000033
2004522489.tif 000034
2004522489.tif 000035
2004522489.tif 000036
2004522489.tif 000037
2004522489.tif 000038
2004522489.tif 000039
2004522489.tif 000040
2004522489.tif 000041
2004522489.tif 000042
2004522489.tif 000043
2004522489.tif 000044
2004522489.tif 000045
2004522489.tif 000046
2004522489.tif 000047
2004522489.tif 000048
2004522489.tif 000049
2004522489.tif 000050
2004522489.tif 000051
2004522489.tif 000052
2004522489.tif 000053
2004522489.tif 000054
2004522489.tif 000055
2004522489.tif 000056
2004522489.tif 000057
2004522489.tif 000058
2004522489.tif 000059
2004522489.tif 000060
2004522489.tif 000061
2004522489.tif 000062
2004522489.tif 000063
2004522489.tif 000064
2004522489.tif 000065
2004522489.tif 000066
2004522489.tif 000067
【国際調査報告】
2004522489.tif 000068
2004522489.tif 000069
2004522489.tif 000070
2004522489.tif 000071